(57)【要約】【課題】可食印刷管理装置、可食印刷管理方法、及びプログラムにおいて、可食インキを用いた印刷が印刷対象物に対し適正に行われているかを管理する。【解決手段】可食印刷管理装置１０は、可食インキを用いた印刷対象物に対する印刷の印刷状況を撮像する撮像部２１から撮像データを取得する撮像データ取得部１１と、撮像データに対する画像処理を行う画像処理部１５と、画像処理に基づき、印刷が印刷対象物に対し適正に行われているかを判定する判定部１２と、を備える。他の観点では、可食印刷管理装置１０は、上記の撮像データ取得部１１と、撮像データの出力制御を行う撮像データ出力制御部１６と、不正の有無に関するユーザの判断結果を取得するユーザ判断結果取得部１７と、を備える。【選択図】図１
2018054358.tif 000002
【特許請求の範囲】
【請求項１】
可食インキを用いた印刷対象物に対する印刷の印刷状況を撮像する撮像部から撮像データを取得する撮像データ取得部と、
前記撮像データに対する画像処理を行う画像処理部と、
前記画像処理に基づき、前記印刷が前記印刷対象物に対し適正に行われているかを判定する判定部と、
を備えることを特徴とする可食印刷管理装置。
【請求項２】
可食インキを用いた印刷対象物に対する印刷の印刷状況を撮像する撮像部から撮像データを取得する撮像データ取得部と、
前記撮像データの出力制御を行う撮像データ出力制御部と、
不正の有無に関するユーザの判断結果を取得するユーザ判断結果取得部と、
を備えることを特徴とする可食印刷管理装置。
【請求項３】
コンピュータを用いた可食印刷管理方法であって、
可食インキを用いた印刷対象物に対する印刷の印刷状況を撮像する撮像部から前記コンピュータによって撮像データを取得し、
前記撮像データに対する画像処理を前記コンピュータによって行い、
前記画像処理に基づき、前記印刷が前記印刷対象物に対し適正に行われているかを前記コンピュータによって判定する、
ことを特徴とする可食印刷管理方法。
【請求項４】
コンピュータを用いた可食印刷管理方法であって、
可食インキを用いた印刷対象物に対する印刷の印刷状況を撮像する撮像部から前記コンピュータによって撮像データを取得し、
前記撮像データの出力制御を前記コンピュータによって行い、
不正の有無に関するユーザの判断結果を前記コンピュータによって取得する、
ことを特徴とする可食印刷管理方法。
【請求項５】
可食インキを用いた印刷対象物に対する印刷の印刷状況を撮像する撮像部から撮像データを取得する機能と、
前記撮像データに対する画像処理を行う機能と、
前記画像処理に基づき、前記印刷が前記印刷対象物に対し適正に行われているかを判定する機能と、
をコンピュータに実行させることを特徴とするプログラム。
【請求項６】
可食インキを用いた印刷対象物に対する印刷の印刷状況を撮像する撮像部から撮像データを取得する機能と、
前記撮像データの出力制御を行う機能と、
不正の有無に関するユーザの判断結果を取得する機能と、
をコンピュータに実行させることを特徴とするプログラム。
【発明の詳細な説明】
【技術分野】
【０００１】
本発明は、可食インキを用いた可食印刷を管理する、可食印刷管理装置、可食印刷管理方法、及びプログラムに関する。
【背景技術】
【０００２】
近年、可食インキを用いて飲食物に対する印刷を行うことで、飲食物に対する装飾を行う技術が提案されている（例えば、特許文献１及び２参照）。
【先行技術文献】
【特許文献】
【０００３】
【特許文献１】特開２０１３−１３４０２号公報
【特許文献２】特表２００３−５３５９２３号公報
【発明の概要】
【発明が解決しようとする課題】
【０００４】
ところで、飲食物に対して広告内容を表す印刷が行われる場合には、広告媒体となる飲食物への印刷回数に応じて広告主が広告料を支払う形態が採用されることが考えられるが、飲食物は顧客に消費されると証拠として残らない。
【０００５】
また、飲食物に対してキャラクターなどの著作権に基づく印刷が行われる場合にも、飲食物への印刷回数に応じた費用が発生する形態が採用されることが考えられるが、同様に、飲食物は顧客に消費されると証拠として残らない。
【０００６】
そのため、可食印刷を行う可食印刷装置に設けられたカウンタが可食印刷の回数をカウントしていても、印刷回数を水増しするために、印刷対象物に連続して同一の印刷を繰り返すという不正や、広告内容を表す印刷を所定の印刷対象物とは異なる印刷対象物に行うという不正などが行われることが想定される。また、著作権に基づく印刷が行われる場合に、キャラクター等の印刷内容を変形させるという不正が行われることも想定される。
【０００７】
本発明の目的は、可食インキを用いた印刷が印刷対象物に対し適正に行われているかを管理することができる、可食印刷管理装置、可食印刷管理方法、及びプログラムを提供することである。
【課題を解決するための手段】
【０００８】
可食印刷管理装置の１つの態様では、可食印刷管理装置は、可食インキを用いた印刷対象物に対する印刷の印刷状況を撮像する撮像部から撮像データを取得する撮像データ取得部と、前記撮像データに対する画像処理を行う画像処理部と、前記画像処理に基づき、前記印刷が前記印刷対象物に対し適正に行われているかを判定する判定部と、を備える。
【０００９】
可食印刷管理装置の他の１つの態様では、可食印刷管理装置は、可食インキを用いた印刷対象物に対する印刷の印刷状況を撮像する撮像部から撮像データを取得する撮像データ取得部と、前記撮像データの出力制御を行う撮像データ出力制御部と、不正の有無に関するユーザの判断結果を取得するユーザ判断結果取得部と、を備える。
【００１０】
可食印刷管理方法の１つの態様では、可食印刷管理方法は、コンピュータを用いた可食印刷管理方法であって、可食インキを用いた印刷対象物に対する印刷の印刷状況を撮像する撮像部から前記コンピュータによって撮像データを取得し、前記撮像データに対する画像処理を前記コンピュータによって行い、前記画像処理に基づき、前記印刷が前記印刷対象物に対し適正に行われているかを前記コンピュータによって判定する。
【００１１】
可食印刷管理方法の他の１つの態様では、可食印刷管理方法は、コンピュータを用いた可食印刷管理方法であって、可食インキを用いた印刷対象物に対する印刷の印刷状況を撮像する撮像部から前記コンピュータによって撮像データを取得し、前記撮像データの出力制御を前記コンピュータによって行い、不正の有無に関するユーザの判断結果を前記コンピュータによって取得する。
【００１２】
プログラムの１つの態様では、プログラムは、可食インキを用いた印刷対象物に対する印刷の印刷状況を撮像する撮像部から撮像データを取得する機能と、前記撮像データに対する画像処理を行う機能と、前記画像処理に基づき、前記印刷が前記印刷対象物に対し適正に行われているかを判定する機能と、をコンピュータに実行させる。
【００１３】
プログラムの他の１つの態様では、プログラムは、可食インキを用いた印刷対象物に対する印刷の印刷状況を撮像する撮像部から撮像データを取得する機能と、前記撮像データの出力制御を行う機能と、不正の有無に関するユーザの判断結果を取得する機能と、をコンピュータに実行させる。
【発明の効果】
【００１４】
前記態様によれば、可食インキを用いた印刷が印刷対象物に対し適正に行われているかを管理することができる。
【図面の簡単な説明】
【００１５】
【図１】一実施の形態における可食印刷管理システムを示す機能ブロック図である。
【図２】一実施の形態に係る可食印刷管理装置として動作することが可能なコンピュータを示すハードウェア構成図である。
【図３】一実施の形態における可食印刷装置を示す斜視図である。
【図４】一実施の形態に係る可食印刷管理方法の一例を説明するためのフローチャートである。
【図５】一実施の形態に係る可食印刷管理方法の他の例を説明するためのフローチャートである。
【発明を実施するための形態】
【００１６】
以下、本発明の一実施の形態に係る、可食印刷管理装置、可食印刷管理方法、及びプログラムについて、図面を参照しながら説明する。
図１は、一実施の形態における可食印刷管理システムを示す機能ブロック図である。
【００１７】
図１に示す可食印刷管理装置システムは、可食印刷管理装置１０と、この可食印刷管理装置１０にネットワーク３０を介して接続される１つ以上の可食印刷装置２０と、を備える。
【００１８】
可食印刷管理装置１０は、撮像データ取得部１１と、判定部１２と、カウンタ印刷回数取得部１３と、表示部１４と、画像処理部１５と、撮像データ出力制御部１６と、ユーザ判断結果取得部１７と、を備える。
【００１９】
可食印刷装置２０は、印刷部２１と、撮像部２２と、カウンタ２３と、を備える。
撮像データ取得部１１は、可食インキを用いた図３に示す印刷対象物Ｍに対する印刷の印刷状況を撮像する撮像部２２から、撮像データを取得する。なお、可食印刷管理装置１０は、ネットワーク３０を介して例えば複数の可食印刷装置２０に接続されるため、撮像データ取得部１１は、複数の可食印刷装置２０のそれぞれの撮像部２２から撮像データを取得する。
【００２０】
判定部１２は、可食インキを用いた印刷が印刷対象物Ｍに対し適正に行われているかを判定する。
カウンタ印刷回数取得部１３は、印刷部２１により行われた印刷回数をカウンタ２３から取得する。なお、上述のように、可食印刷管理装置１０は、ネットワーク３０を介して例えば複数の可食印刷装置２０に接続されるため、カウンタ印刷回数取得部１３は、複数の可食印刷装置２０のそれぞれのカウンタ２３から撮像データを取得する。
【００２１】
表示部１４は、例えば、判定部１２による判定結果や、撮像データ出力制御部１６により表示制御される撮像データを表示する。
画像処理部１５は、印刷が印刷対象物Ｍに対し適正に行われているかを判定するための画像処理を行う。後述するが、画像処理部１５は、例えば、撮像データから印刷回数を取得するための画像処理、同一の印刷対象物Ｍに繰り返し印刷が行われていないかを判定するための画像処理、或いは、所定の印刷対象物Ｍではない印刷対象物に印刷が行われていないかを判定するための画像処理を行う。
【００２２】
撮像データ出力制御部１６は、例えば、表示部１４に撮像データを表示させる制御を行うことにより、撮像データの出力制御を行う。
ユーザ判断結果取得部１７は、出力された撮像データを確認したユーザの、不正の有無に関する判断結果を取得する。この判断結果は、例えば図２に示すコンピュータ１００の入力部１０３から取得することができる。
【００２３】
図２は、図１に示す可食印刷管理装置１０として動作することが可能なコンピュータ１００を示すハードウェア構成図である。
図２に示すコンピュータ１００は、ＣＰＵ（Central Processing Unit）１０１と、記憶部１０２と、入力部１０３と、表示部１０４と、インターフェース部１０５と、記録媒体駆動部１０６とを備える。これらの構成要素は、バスライン１０７を介して接続されており、各種のデータを互いに授受する。
【００２４】
なお、ＣＰＵ１０１は、判定部１２、画像処理部１５、及び撮像データ表示制御部１６の一例として機能する。入力部１０３は、ＣＰＵ１０１とともに、ユーザ判断結果取得部の一例として機能する。表示部１０４は、表示部１４の一例として機能する。インターフェース部１０５は、ＣＰＵ１０１とともに、撮像データ取得部１１及びカウンタ印刷回数取得部１３の一例として機能する。
【００２５】
ＣＰＵ１０１は、コンピュータ１００全体の動作を制御する演算処理装置である。ＣＰＵ１０１は、可食印刷管理用のプログラムを読み出して実行することにより、可食印刷管理の処理を行う。
【００２６】
記憶部１０２は、ＲＯＭ（Read Only Memory）、ＲＡＭ（Random Access Memory）、ハードディスクなどを含む。
ＲＯＭは、所定の基本制御プログラムが予め記録されている読み出し専用半導体メモリである。なお、ＲＯＭとして、フラッシュメモリ等の、電力供給の停止に対して記憶データが不揮発性であるメモリを使用してもよい。
【００２７】
ＲＡＭは、ＣＰＵ１０１が各種の制御プログラムを実行する際に、必要に応じて作業用記憶領域として使用される随時書き込み読み出し可能な半導体メモリである。
ハードディスクは、ＣＰＵ１０１によって実行される各種の制御プログラムや各種のデータを記憶する。
【００２８】
入力部１０３は、例えばキーボード装置やマウス装置であり、コンピュータ１００のユーザにより操作されると、その操作内容に対応付けられているユーザからの各種の入力情報を取得し、取得した入力情報をＣＰＵ１０１に送る。
【００２９】
表示部１０４は、例えばディスプレイであり、各種のテキストや画像を表示する。
インターフェース部１０５は、コンピュータ１００に接続される可食印刷装置２０などの各種機器との間での各種情報の授受の管理を行う。
【００３０】
記録媒体駆動部１０６は、可搬型記録媒体１０８に記録されている各種の制御プログラムやデータの読み出しを行う装置である。ＣＰＵ１０１は、可搬型記録媒体１０８に記録されている所定の制御プログラムを、記録媒体駆動装置１０６を介して読み出して実行することによって、可食印刷管理の処理を行うようにすることもできる。
【００３１】
なお、可搬型記録媒体１０８としては、例えばＣＤ−ＲＯＭ（Compact Disc Read Only Memory）やＤＶＤ−ＲＯＭ（Digital Versatile Disc Read Only Memory）、ＵＳＢ規格のコネクタが備えられているフラッシュメモリなどがある。
【００３２】
このようなコンピュータ１００を可食印刷管理装置１０として動作させるために、まず、後述する図４や図５に示すフローチャートを一例とする可食印刷管理の各処理をＣＰＵ１０１に行わせるための制御プログラムが作成される。この作成された制御プログラムは、記憶部１０２のハードディスク装置、又は可搬型記録媒体１０８に予め格納される。そして、ＣＰＵ１０１に所定の指示が与えられることで、制御プログラムが読み出されて実行される。これにより、コンピュータ１００が、可食印刷管理装置１０として動作する。
【００３３】
図３は、一実施の形態における可食印刷装置２０を示す斜視図である。
図３に示す可食印刷装置２０は、印刷部２１と、撮像部２２と、カウンタ２３と、昇降部２４と、ガイド部２５と、ベース部２６と、を備える例えばカフェラテプリンタである。但し、可食印刷装置２０としては、可食インキを用いて印刷対象物Ｍに対する印刷を行い、この印刷の印刷状況を撮像部２２によって撮像されるものであればよく、上記の構成以外のカフェラテプリンタや、カフェラテプリンタ以外の可食印刷装置２０であってもよい。また、撮像部２２が可食印刷装置２０とは別体に設けられていてもよい。
【００３４】
印刷部２１は、例えばインクジェットヘッドであり、広告内容を表す印刷、著作権に基づく印刷などの印刷を、可食印刷装置２０又は可食印刷管理装置１０で生成される印刷パターンに基づき行う。印刷部２１は、例えば、昇降部２４の底面に下向きに設けられている。
【００３５】
なお、印刷部２１が広告内容を表す印刷を行う場合、可食印刷装置２０が配置されている環境、例えば、ある業界のオフィスであれば、その業界に向けて選択される広告内容に対応する印刷パターンが生成されるとよい。例えば、可食印刷管理装置１０が、選択される広告内容に対応する印刷パターンの生成を行い、可食印刷装置２０が配置されている環境に応じて可食印刷装置２０に印刷パターンの情報を送信し、可食印刷装置２０が送信された印刷パターンに基づく印刷を行うとよい。
【００３６】
撮像部２２は、印刷対象物Ｍにおける印刷位置のみを撮像するのではなく、印刷対象物Ｍの一部又は全体も撮像することが望ましい。また、撮像部２２は、静止画を撮像するものであってもよいが、動画を撮像するものであることが望ましい。また、撮像部２２は、印刷時のみ撮像を行うものであっても、或いは、例えば可食印刷装置２０の電源がＯＮの状態で常時撮像を行うものであってもよい。撮像部２２が印刷時のみに撮像を行う場合、撮像データの数が印刷回数に一致することになり、複雑な画像処理を要することなく、カウンタ２３から取得される印刷回数と撮像データの数に対応する印刷回数とを比較することができるようになる。なお、撮像部２２も、例えば、昇降部２４の底面に下向きに設けられている。
【００３７】
カウンタ２３は、印刷部２１の印刷回数をカウントする。カウンタ２３は、例えば、広告内容ごとの印刷回数や、著作権に基づく印刷内容ごとの印刷回数などを個別にカウントできるものであるとよい。なお、カウンタ２３としては、印刷装置に配置される公知のカウンタを用いればよい。
【００３８】
昇降部２４には、上述のように印刷部２１及び撮像部２２が設けられるほか、可食印刷装置２０の操作部や表示部が設けられるとよい。昇降部２４は、ガイド部２５に沿って昇降する。これにより、昇降部２４は、ベース部２６上に載置される印刷対象物Ｍの高さに応じた位置に昇降可能となっている。
【００３９】
図４は、一実施の形態に係る可食印刷管理方法の一例を説明するためのフローチャートである。
まず、撮像部２０の印刷部２１が、可食インキを用いた印刷対象物Ｍに対する印刷を行い、その印刷状況を撮像部２２が撮像する。そして、可食印刷管理装置１０では、撮像データ取得部１１が、撮像部２２から撮像データを取得し、カウンタ印刷回数取得部１３が、カウンタ２３から印刷回数を取得する（ステップＳ１１）。
【００４０】
そして、判定部１２は、撮像データによる印刷回数と、カウンタ２３から取得される印刷回数とが一致するかを判定する（ステップＳ１２）。なお、この判定は、撮像部２２が印刷回数ごとに撮像を行う場合には、撮像データの数とカウンタ２３から取得される印刷回数とを比較すればよいが、撮像部２２が常時撮像を行う場合などで印刷回数と撮像データの数とが一致しない場合には、画像処理部１５が撮像データの画像処理を行うことで印刷回数を取得すればよい。この画像処理は、例えば、撮像データである動画における印刷状況に、印刷を行っていると判断できる状態が何回あるかなどの情報を画像処理で取得できればよく、具体的な画像処理は公知の手法により行えばよい。
【００４１】
判定部１２は、撮像データによる印刷回数と、カウンタ２３から取得される印刷回数とが一致すると判定すると（ステップＳ１２：ＹＥＳ）、画像処理部１５による撮像データに対する画像処理によって、印刷が印刷対象物Ｍに対し適正に行われているかを判定する（ステップＳ１３）。
【００４２】
この判定は、例えば、広告内容を表す印刷の回数を、実際に行われる数よりも水増しするために印刷対象物Ｍに連続して同一の印刷を繰り返すという不正を発見する観点では、画像処理部１５が、各撮像データにおいて、或いは、常時撮像が行われる場合の撮像データの印刷の合間において、印刷前に印刷対象物Ｍが印刷されていない状態であるかを雛形の静止画と照らし合わせ、その結果を判定部１２が判定するとよい。また、例えば、広告内容を表す印刷を所定の印刷対象物Ｍとは異なる印刷対象物に行うという不正を発見する観点では、画像処理部１５が、印刷対象物Ｍが所定のものであるかを、雛形の静止画と照らし合わせ、その結果を判定部１２が判定するとよい。更には、例えば、著作権に基づく印刷において、キャラクター等の印刷内容を変形させるという不正を発見する観点では、画像処理部１５が、印刷内容を雛形の静止画と照らし合わせ、その結果を判定部１２が判定するとよい。また、印刷内容の正確性を監視する観点でも、画像処理部１５が印刷内容を雛形の静止画と照らし合わせ、その結果を判定部１２が判定するとよい。なお、画像処理に基づく判定処理については、列挙した上記の不正のほか、ユーザによって設定される任意の不正の内容に基づき、公知の画像処理を行って、この画像処理に基づき判定部１２が判定を行えばよい。
【００４３】
次に、判定部１２は、撮像データによる印刷回数と、カウンタ２３から取得される印刷回数とが一致しないと判定した場合（ステップＳ１２：ＮＯ）や、画像処理部１５による撮像データに対する画像処理によって、印刷が印刷対象物Ｍに対し適正に行われていないと判定した場合（ステップＳ１３：ＮＯ）、例えば、表示部４に不正が行われたことを表す表示を行わせる表示制御を行ったり、或いは、音声出力部に不正を表す音声を出力させる音声出力制御を行ったりすることで、不正をユーザに報知する（ステップＳ１４）。また、判定部１２は、例えば、不正があると判定した撮像データ等に不正があることを示す情報を付加することによって、不正認定を行う（ステップＳ１５）。この不正認定は、不正を報知されたユーザが最終判断を行い、この最終判断を取得することにより行われてもよい。
【００４４】
また、判定部１２は、画像処理部１５による撮像データに対する画像処理によって、印刷が印刷対象物Ｍに対し適正に行われていると判定した場合（ステップＳ１３：ＹＥＳ）、ユーザへの報知（ステップＳ１４）や不正認定（ステップＳ１５）を行わずに、処理を終了する。
【００４５】
なお、上述の説明では、撮像データによる印刷回数と、カウンタ２３から取得される印刷回数とが一致すると判定された場合（ステップＳ１２：ＹＥＳ）に限って画像処理部１５が画像処理を行う例について説明したが、回数が一致しないと判定された場合（ステップＳ１２：ＮＯ）にも画像処理に基づく判定処理（ステップＳ１３）を行ってもよい。
【００４６】
図５は、一実施の形態に係る可食印刷管理方法の他の例を説明するためのフローチャートである。
図５に示すフローチャートの例では、撮像データをユーザに出力しユーザの判断結果を取得することによって、印刷が印刷対象物Ｍに対し適正に行われているかを判定する点において図４に示すフローチャーとの例とは異なる。そのため、重複する事項については適宜説明を省略する。
【００４７】
まず、上述のように、撮像データ取得部１１が撮像部２２から撮像データを取得し、カウンタ印刷回数取得部１３がカウンタ２３から印刷回数を取得する（ステップＳ２１）。その後、判定部１２は、撮像データによる印刷回数と、カウンタ２３から取得される印刷回数とが一致するかを判定する（ステップＳ２２）。
【００４８】
次に、判定部１２は、撮像データによる印刷回数と、カウンタ２３から取得される印刷回数とが一致しないと判定した場合（ステップＳ２２：ＮＯ）、不正をユーザに報知する（ステップＳ２３）。また、判定部１２は、不正があると判定した撮像データ等に不正があることを示す情報を付加することによって、不正認定を行い（ステップＳ２６）、処理が終了する。
【００４９】
また、判定部１２が、撮像データによる印刷回数と、カウンタ２３から取得される印刷回数とが一致すると判定した場合（ステップＳ２２：ＹＥＳ）、撮像データ出力制御部１６は、撮像データを表示部１４に表示させる表示制御を行うことにより、撮像データの出力制御を行う（ステップＳ２４）。なお、撮像データの出力は、撮像データのファイルを、ユーザにメール送信することや、ユーザのフラッシュメモリなどに出力することなどの他の手法によっても行うことができる。
【００５０】
その後、判定部１２は、ユーザ判断結果取得部１７（入力部１０３）によって不正の有無に関するユーザの判断結果を取得することによって、その入力情報に基づき、印刷が印刷対象物Ｍに対し適正に行われているかを判定する（ステップＳ２５）。
【００５１】
なお、撮像データの出力制御（ステップＳ２４）及びユーザの判断結果に基づく判定（ステップＳ２５）の前又は後或いは並行して、図４に示す上述の画像処理に基づく判定（ステップＳ１３）を行ってもよい。
【００５２】
判定部１２が、適正に印刷が行われていると判定した場合（ステップＳ２５：ＹＥＳ）、そのまま処理が終了する。一方、判定部１２は、適正に印刷が行われていないと判定した場合（ステップＳ２５：ＮＯ）、不正認定を行い（ステップＳ２６）、処理が終了する。
【００５３】
以上説明した本実施の形態では、可食印刷管理装置１０は、撮像データ取得部１１と、判定部１２と、画像処理部１５と、を備える。撮像データ取得部１１は、可食インキを用いた印刷対象物Ｍに対する印刷の印刷状況を撮像する撮像部２１から撮像データを取得する。画像処理部１５は、撮像データに対する画像処理を行う。判定部１２は、画像処理部１５により行われる画像処理に基づき、印刷が印刷対象物Ｍに対し適正に行われているかを判定する。
【００５４】
そのため、撮像データを用いて印刷が印刷対象物Ｍに対し適正に行われているかを判定することができる。よって、本実施の形態によれば、可食インキを用いた印刷が印刷対象物Ｍに対し適正に行われているかを管理することができる。更には、画像処理に基づく判定が行われることで、ユーザの判断を要することなく、可食インキを用いた印刷が印刷対象物Ｍに対し適正に行われているかを管理することができる。
【００５５】
また、本実施の形態では、可食印刷管理装置１０は、上記の撮像データ取得部１１と、撮像データを出力する出力制御を行う撮像データ出力制御部１６と、不正の有無に関するユーザの判断結果を取得するユーザ判断結果取得部１７と、を備える。
【００５６】
そのため、撮像データを用いて印刷が印刷対象物Ｍに対し適正に行われているかを判定することができる。よって、本実施の形態によれば、可食インキを用いた印刷が印刷対象物Ｍに対し適正に行われているかを管理することができる。更には、ユーザの判断結果を取得することで、画像処理部１５による画像処理を要することなく、可食インキを用いた印刷が印刷対象物Ｍに対し適正に行われているかを管理することができる。
【符号の説明】
【００５７】
１０      可食印刷管理装置
１１      撮像データ取得部
１２      判定部
１３      カウンタ印刷回数取得部
１４      表示部
１５      画像処理部
１６      撮像データ出力制御部
１７      ユーザ判断結果取得部
２０      可食印刷装置
２１      印刷部
２２      撮像部
２３      カウンタ
２４      昇降部
２５      ガイド部
２６      ベース部
３０      ネットワーク
１００      コンピュータ
１０１      ＣＰＵ
１０２      記憶部
１０３      入力部
１０４      表示部
１０５      インターフェース部
１０６      記録媒体駆動部
１０７      バスライン
１０８      可搬型記録媒体
Ｍ      印刷対象物
【図１】
2018054358.tif 000003
【図２】
2018054358.tif 000004
【図３】
2018054358.tif 000005
【図４】
2018054358.tif 000006
【図５】
2018054358.tif 000007